(57)【要約】【課題】区分指定された紙葉類がどの集積部に集積されるのかを一目で識別できるようにする。【解決手段】複数種類の紙葉類を供給する取込部５と、この取込部５から供給される紙葉類のうち、区分すべき種類を指示するテラーマシン３と、取込部５から供給された紙葉類の種類を判別する判別部４と、この判別部４により種類が判別された紙葉類をその種類に応じて区分集積する複数の集積部１５〜２０と、これら複数の集積部１５〜２０に対応してそれぞれ設けられ、回転することにより紙葉類を集積部１５〜２０内に案内する羽根車２４〜２９と、テラーマシン３により指示された種類の紙葉類を集積する集積部１５，１６の羽根車２４，２５のみを回転させ、他の集積部１７〜２０の羽根車２６〜２９の回転を停止させるように制御する制御装置とを具備する。【選択図】　　図１
2004106960.tif 000002
【特許請求の範囲】
【請求項１】
複数種類の紙葉類を供給する供給手段と、
この供給手段から供給される紙葉類のうち、区分すべき種類を指示する指示手段と、
前記供給手段から供給された紙葉類の種類を判別する判別手段と、
この判別手段により種類が判別された紙葉類をその種類に応じて区分集積する複数の集積部と、
これら複数の集積部に対応してそれぞれ設けられ、回転することにより前記紙葉類を前記集積部内に案内する羽根車と、
前記指示手段により指示された種類の紙葉類を集積する集積部の羽根車のみを回転させ、他の集積部の羽根車の回転を停止させるように制御する制御手段と
を具備することを特徴とする紙葉類処理装置。
【請求項２】
複数種類の紙葉類を供給する供給手段と、
この供給手段から供給された紙葉類の種類を判別する判別手段と、
この判別手段により種類が判別された紙葉類をその種類に応じて区分集積する複数の集積部と、
これら複数の集積部に対応してそれぞれ設けられ、回転することにより前記紙葉類を前記集積部内に案内する羽根車と、
前記集積部内に集積される紙葉類の枚数をカウントするカウント手段と、
このカウント手段により前記紙葉類が規定枚数カウントされたことに基づいてその集積部に対応する羽根車の回転を停止させるように制御する制御手段と
を具備することを特徴とする紙葉類処理装置。
【請求項３】
前記制御手段は、前記集積された規定枚数の紙葉類が取り除かれたことに基づいて前記羽根車の回転を再開させることを特徴とする請求項２記載の紙葉類処理装置。
【請求項４】
複数種類の紙葉類を供給する供給工程と、
この供給工程により供給される紙葉類のうち、区分すべき種類を指示する指示工程と、
前記供給工程により供給された紙葉類の種類を判別する判別工程と、
この判別工程により種類が判別された紙葉類をその種類に応じて羽根車の回転により所定方向に案内する案内工程と、
前記羽根車によりそれぞれ案内されてくる紙葉類を複数の集積部に区分集積する集積工程と、
前記指示工程により指示された種類の紙葉類を集積する集積部に対応する羽根車のみを回転させ、他の集積部に対応する羽根車の回転を停止させるように制御する制御工程と
を具備することを特徴とする紙葉類処理方法。
【請求項５】
複数種類の紙葉類を供給する供給工程と、
この供給工程により供給された紙葉類の種類を判別する判別工程と、
この判別工程により種類が判別された紙葉類をその種類に応じて羽根車の回転により所定方向に案内する案内工程と、
前記羽根車によりそれぞれ案内されてくる紙葉類を複数の集積部に区分集積する集積工程と、
前記集積部に集積される紙葉類の枚数をカウントするカウント工程と、
このカウント工程により前記紙葉類が規定枚数カウントされたことに基づいてその集積部に対応する羽根車の回転を停止させるように制御する制御工程と
を具備することを特徴とする紙葉類処理方法。
【発明の詳細な説明】
【０００１】
【発明の属する技術分野】
本発明は、例えば、銀行等で使用される紙幣をその金種等に応じて区分集積する紙葉類整理機として適用される紙葉類処理装置及び紙葉類処理方法に関する。
【０００２】
【従来の技術】
この種の紙葉類整理機は、多種類の紙葉類を一括して収容する取込部を備え、この取込部から紙葉類を１枚ずつ取り込む。そして、この取込まれた紙葉類を判別部に搬送してその種類を判別し、その判別結果に応じて例えば、正券と排除券とに振り分ける。正券はその金種に応じてさらに振り分けられて複数の集積部に規定枚数（例えば、１００枚）だけ区分集積され、排除券は排除用の集積部に排除集積される。
【０００３】
ところで、上記した各集積部の紙葉類導入側には、それぞれ羽根車と呼ばれる集積を安定化させるための機構が備えられ、羽根車を回転させることにより紙葉類を安定して集積部内に案内して集積できるようになっている。
【０００４】
また、取込部から取込まれ、正券と判別された紙葉類をすべて区分することなく、指定した種類の紙葉類のみを区分集積することがある（例えば、特許文献１参照。）。
【０００５】
【特許文献１】
特開２００２−１９３５１７号公報。
【０００６】
【発明が解決しようとする課題】
しかしながら、従来おいては、指定した金種の紙葉類に対応する集積部の羽根車だけでなく、全ての集積部の羽根車を回転させていたため、指定された紙葉類がどの集積部に集積されるのかが集積部を見ただけでは識別できないという不都合があった。
【０００７】
また、従来においては、集積部に紙葉類が規定枚数集積されても、羽根車は引き続き回転されていたため、オペレータが集積された紙葉類を集積部から抜き取るときに、抜き取り難いという問題があった。
【０００８】
本発明は上記事情に着目してなされたもので、その目的とするところは、区分指定された紙葉類がどの集積部に集積されるのかを一目で識別でき、また、集積部から紙葉類を抜き取る際に抜き取り易くするようにした紙葉類処理装置及び紙葉類処理方法を提供することを目的とする。
【０００９】
【課題を解決するための手段】
上記課題を解決するため、請求項１記載の発明は、複数種類の紙葉類を供給する供給手段と、この供給手段から供給される紙葉類のうち、区分すべき種類を指示する指示手段と、前記供給手段から供給された紙葉類の種類を判別する判別手段と、この判別手段により種類が判別された紙葉類をその種類に応じて区分集積する複数の集積部と、これら複数の集積部に対応してそれぞれ設けられ、回転することにより前記紙葉類を前記集積部内に案内する羽根車と、前記指示手段により指示された種類の紙葉類を集積する集積部の羽根車のみを回転させ、他の集積部の羽根車の回転を停止させるように制御する制御手段とを具備する。
【００１０】
請求項２記載のものは、複数種類の紙葉類を供給する供給手段と、この供給手段から供給された紙葉類の種類を判別する判別手段と、この判別手段により種類が判別された紙葉類をその種類に応じて区分集積する複数の集積部と、これら複数の集積部に対応してそれぞれ設けられ、回転することにより前記紙葉類を前記集積部内に案内する羽根車と、前記集積部内に集積される紙葉類の枚数をカウントするカウント手段と、このカウント手段により前記紙葉類が規定枚数カウントされたことに基づいてその集積部に対応する羽根車の回転を停止させるように制御する制御手段とを具備する。
【００１１】
請求項４記載のものは、複数種類の紙葉類を供給する供給工程と、この供給工程により供給される紙葉類のうち、区分すべき種類を指示する指示工程と、前記供給工程により供給された紙葉類の種類を判別する判別工程と、この判別工程により種類が判別された紙葉類をその種類に応じて羽根車の回転により所定方向に案内する案内工程と、前記羽根車によりそれぞれ案内されてくる紙葉類を複数の集積部に区分集積する集積工程と、前記指示工程により指示された種類の紙葉類を集積する集積部に対応する羽根車のみを回転させ、他の集積部に対応する羽根車の回転を停止させるように制御する制御工程とを具備する。
【００１２】
複数種類の紙葉類を供給する供給工程と、この供給工程により供給された紙葉類の種類を判別する判別工程と、この判別工程により種類が判別された紙葉類をその種類に応じて羽根車の回転により所定方向に案内する案内工程と、前記羽根車によりそれぞれ案内されてくる紙葉類を複数の集積部に区分集積する集積工程と、前記集積部に集積される紙葉類の枚数をカウントするカウント工程と、このカウント工程により前記紙葉類が規定枚数カウントされたことに基づいてその集積部に対応する羽根車の回転を停止させるように制御する制御工程とを具備する。
【００１３】
【発明の実施の形態】
以下、本発明を図面に示す実施の形態を参照して詳細に説明する。
【００１４】
図１は本発明の一実施の形態である紙葉類処理装置としての整理機１を示す概略的構成図である。
【００１５】
整理機１は、紙幣等の紙葉類を取込み処理するための処理部２と、当該処理部２に接続され、処理部２を操作、管理するために汎用パソコンシステムに専用アプリケーションソフトを組み込んだ指示手段としてのテラーマシン３とから構成されている。なお、テラーマシン３により後述する集積部に対する紙葉類の集積制限枚数を設定することができるようになっている。
【００１６】
処理部２は、垂直状態で積層された紙葉類Ｐをセットし、このセットされた積層紙葉類Ｐから紙葉類Ｐを１枚ずつ逐次取り込むための供給手段としての取込部５を備えている。取込部５から取込まれた紙葉類Ｐは第１の搬送路２２ａに沿って搬送されるようになっている。第１の搬送路２２ａ中には搬送される紙葉類Ｐの種類、良否等を判別するための判別手段としての紙葉類判別部４が設けられている。第１の搬送路２２ａの搬出端側にはゲート７を介して第２及び第３の搬送路２２ｂ，２２ｃが接続されている。
【００１７】
第２の搬送路２２ｂの排出端側には、排除券を集積する排除券集積部６が設けられている。第３の搬送路２２ｃの排出側には紙葉類Ｐの搬送方向に亘って所定間隔を存してゲート９〜１３が配設されている。第３の搬送路２２ｃに沿って搬送されくる紙葉類Ｐはゲート９〜１３の動作によりその種類別に第１乃至第６の集積部１５〜２０に選択的に案内されて集積されるようになっている。
【００１８】
集積部１５〜２０の紙葉類導入側には、紙葉類Ｐを集積部１５〜２０に案内するための羽根車２４〜２９がそれぞれ配設されている。
【００１９】
羽根車２４〜２９は、図２に示すように回転体３２と、この回転体３２にその回転方向に所定間隔を存して配設される１６枚の羽根体３３…とから構成されている。紙葉類Ｐは羽根体３３，３３間に導入されて羽根体３３，３３の回転により集積部１５〜２０内に案内されて安定して集積されるようになっている。
【００２０】
また、羽根車２４〜２９の近傍には、集積部１５〜２０に導入される紙葉類Ｐを光学的にカウントするカウント手段としてのカウンタ３８〜４３が配設されている。
【００２１】
図３は上記した羽根車２４〜２９の駆動制御系を示すものである。
【００２２】
テラーマシン３及びカウンタ３８〜４３は送信回路を介して制御手段としての制御装置３５に接続され、制御装置３５には制御回路を介して羽根車２４〜２９が接続されている。
【００２３】
テラーマシン３によって区分すべき紙葉類Ｐの種類が指定されたことに基づいて制御装置３５はその指定された種類の紙葉類Ｐを集積する集積部１５（〜２０）の羽根車２４（〜２９）を回転させ、また、その集積部１５（〜２０）に集積される紙葉類Ｐがカウンタ３８（〜４３）によってカウントされて規定枚数に達すると、羽根車２４（〜２９）の回転を停止させるようになっている。
【００２４】
次に、上記した整理機１の処理動作について図４のフローチャートを参照して詳述する。
【００２５】
まず、オペレータはテラーマシン３により紙葉類処理部２に対して、区分すべき紙葉類Ｐの種類及びこの紙葉類Ｐを集積する集積部を指示設定する（ステップＳ１）。例えば、紙葉類処理部２に指示する第１の希望券種を１０ドル券とし、その集積個所を第１の集積部１５とする。また、第２の希望券種を２０ドル券とし、その集積個所を第２の集積部１６とする。第３〜第６の集積部１７〜２０には紙葉類Ｐを区分集積しない。また、テラーマシン３より第１及び第２の集積部１５，１６に集積する制限枚数を１００枚と指定する。しかるのち、集積の可能性の有無が判別される（ステップＳ２）。集積の可能性が有ると判別された場合には、指定されている集積部１５，１６に対応した羽根車２４，２５が回転を開始する（ステップＳ３）。集積が指定されていない集積部１７〜２０に対応する羽根車２６〜２９は回転しない。これにより、オペレータは羽根車２４，２５が回転している集積部１５〜１６は券種が指定されていることを確認できる。こののち、取り込みが開始される（ステップＳ４）。取込部５から取り込まれた紙葉類Ｐは判別部４によりその種類が判別される。例えば、排除券と判別された券はゲート７により振り分けられて排除券集積部６に集積され、１０ドル正常券と判別された券は第１の集積部１５に集積され、２０ドル正常券と判別された券は第２の集積部１６に集積される。１０ドル、２０ドル以外の正常券は排除券集積部６に集積される。こののち、取込紙葉類Ｐの有無が判別されて処理が終了したか否かが判別される（ステップＳ５）。処理が終了しないと判別されると、第１及び第２の集積部１５，１６に集積される１０ドル，２０ドルが制限枚数の１００枚に達したか否かが判別される（ステップＳ６）。制限枚数の１００枚に達したと判別されると、取込部５からの取り込みが停止するとともに、第１及び第２の集積部１５，１６の羽根車２４，２５が停止する（ステップＳ７）。この停止により１０ドル券（２０ドル券）が制限枚数に達したことをオペレータに知らせることができる。
【００２６】
また、羽根車２４，２５が停止しているため、オペレータは制限枚数に達した１０ドル，２０ドルを抜き取り易くなる。
【００２７】
羽根車２４の回転停止後、紙葉類Ｐが抜き取られたか否かが判別され（ステップＳ８）、制限枚数に達した１０ドル券，２０ドル券が抜き取られたと判別された場合には、羽根車２４，２５の回転が再開される（ステップＳ９）。また、取込部５からの取り込みも再開され、判別部４で１０ドル券，２０ドル券と判別された券は再び第１及び第２の集積部１５，１６に集積される。
【００２８】
一方、ステップＳ５において処理が終了したと判別されると、１０ドル，２０ドルの集積が完了したか否かが判別される（ステップＳ１０）。集積が完了したと判別された場合には、羽根車２４の回転が停止され（ステップＳ１１）、処理が終了する。
【００２９】
上記したように、この実施の形態によれば、テラーマシン３により区分が指示された紙葉類Ｐを集積する集積部１５，１６に対応する羽根車２４，２５のみを回転させ、他の集積部１７〜２０に対応する羽根車２６〜２９の回転を停止させるため、区分が指示された紙葉類Ｐを集積する集積部１５，１６を一目で識別することができる。
【００３０】
また、集積部１５，１６に紙葉類Ｐが規定枚数集積されたことに基づいて羽根車２４，２５の回転を停止させるため、オペレータが羽根車２４，２５に接触しても怪我することがなく、集積部１５，１６から紙葉類Ｐを抜き取り易くなる。
【００３１】
さらに、羽根車２４，２５の回転停止により、規定枚数以降の紙葉類は羽根車２４，２５の羽根３３，３３間に進入して停止するため、集積部１５，１６に入る込むことは規制される。
【００３２】
なお、上記一実施の形態では、第１及び第２の集積部１５，１６のみに紙葉類Ｐを集積させたが、これに限られることなく、全ての集積部１５〜２０に紙葉類Ｐを集積させるようにしても良い。例えば、第１及び第２の１５，１６に１０ドル券を集積させ、第３及び第４の集積部１７，１８に２０ドル券を集積させ、第５及び第６の集積部１９，２０にその他のドル紙幣を集積させるようにしても良い。
【００３３】
その他、本発明はその要旨の範囲内で種々変形実施可能なことは勿論である。
【００３４】
【発明の効果】
本発明は以上説明したように、指示手段により区分指示された紙葉類を集積する集積部に対応する羽根車のみを回転させ、他の集積部に対応する羽根車の回転を停止させるため、区分指示された紙葉類を集積する集積部を一目で識別することができる。
【００３５】
また、集積部に紙葉類が規定枚数集積されたことに基づいて羽根車の回転を停止させるため、オペレータが紙葉類を抜き取るときに抜き取り易くすることが可能となる。
【図面の簡単な説明】
【図１】本発明の一実施の形態である紙葉類整理機を示す概略的構成図。
【図２】図１の紙葉類整理機の集積部に備えられる羽根車を示す正面図。
【図３】図２の羽根車の駆動制御系を示すブロック図。
【図４】図１の整理機の紙葉類集積動作を示すフローチャート図。
【符号の説明】
Ｐ…紙葉類、５…取込部（供給手段）、３…テラーマシン（指示手段）、４…判別部（判別手段）、１５〜２０…第１乃至第６の集積部、２４〜２９…羽根車、３５…制御装置（制御手段）、３８〜４３…カウンタ（カウント手段）。
【図１】
2004106960.tif 000003
【図２】
2004106960.tif 000004
【図３】
2004106960.tif 000005
【図４】
2004106960.tif 000006